(57)【要約】【課題】患者の個体差に適応することができ、特に歯同士の上下の噛み合わせに加えて、上下顎の開閉運動、側方運動、前方運動や微妙な横ずれにも対応可能な咬合器を提供すること。【解決手段】歯形を有する下顎模型に対する係合部材１と、該係合部材１に可動的に取り付けられる下顎フレーム部材２と、石膏やエポキシ樹脂製の歯形を有する上顎模型に対する係合部材３と、該係合部材３に可動的に取り付けられる上顎フレーム部材４と、上記下顎フレーム部材２と上記上顎フレーム部材４とを対向させて、それらの中央部において両者を着脱可能とするロック部材５とからなる咬合器。【選択図】図１
2006230726.tif 000002
【特許請求の範囲】
【請求項１】
歯形を有する下顎模型に対する係合部材（１）と、該係合部材（１）に可動的に取り付けられる下顎フレーム部材（２）と、歯形を有する上顎模型に対する係合部材（３）と、該係合部材（３）に可動的に取り付けられる上顎フレーム部材（４）と、上記下顎フレーム部材（２）と上記上顎フレーム部材（４）とを対向させて、それらの中央部において両者を着脱可能とするロック部材（５）とからなり、上記下顎フレーム部材（２）はその両側端部に球体（６，６’）を有し、上記上顎フレーム部材（４）は、その両側端部に上記球体（６，６’）が嵌め込まれる皿状受座（７，７’）を有し、上記係合部材（１）と、下顎フレーム部材（２）と、ロック部材（５）と、上記上顎フレーム部材（４）と、上記係合部材（３）とが、この記載の順序にて着脱可能に連結される構造を有することを特徴とする下顎模型と上顎模型との咬合器。
【請求項２】
前記係合部材（１）が、下顎歯形模型に対する接続部（１ａ）と、下顎フレーム部材（２）に対する接続部（１ｂ）とを有し、該接続部（１ｂ）が、下顎フレーム部材（２）の中央部に設けられた球体（２ａ）を可動的に嵌入する内面曲面形状を有する請求項１に記載の咬合器。
【請求項３】
前記下顎フレーム部材（２）が、一方の側の中央部に前記係合部材（１）の接続部（１ｂ）と係合する球体（２ａ）を有するフレーム本体（２ｂ）と、その反対側に設けた円柱状接続部（２ｃ）と、フレーム本体（２ｂ）の両端に設けられた球体（６，６’）とを有する請求項１に記載の咬合器。
【請求項４】
前記上顎フレーム部材（４）が、一方の側の中央部に球体（４ａ）を有するフレーム本体（４ｂ）と、その反対側に設けた円柱状接続部（４ｃ）と、フレーム本体（４ｂ）の両端に設けられた、内側に壁を有する皿状受座（７，７’）とを有する請求項１に記載の咬合器。
【請求項５】
前記ロック部材（５）が、下顎フレーム部材（２）の円柱状接続部（２ｃ）を受ける凹状受座（５ａ）と、前記上顎フレーム部材（４）の円柱状接続部（４ｃ）の凹状受座（５ｂ）とを有する請求項１に記載の咬合器。
【請求項６】
前記係合部材（３）が、上顎歯形模型に対する接続部（３ａ）と、上顎フレーム部材（４）に対する接続部（３ｂ）とを有し、該接続部（３ｂ）が、上顎フレーム部材（４）の中央部に設けられた球体（４ａ）を可動的に嵌入する内面曲面形状を有する請求項１に記載の咬合器。
【請求項７】
全ての部材がプラスチック製である請求項１に記載の咬合器。
【発明の詳細な説明】
【技術分野】
【０００１】
本発明は、歯科業において使用する咬合器に関する。
【背景技術】
【０００２】
従来、歯科治療においてブリッジ、歯冠および他の補綴物の製造には歯科用モデル作製用の装置が使用されている。例えば、ブリッジ、歯冠および他の補綴物の製造には歯形の作製が必須であり、歯形の作製は可塑性の高い材料を用いて歯形のネガを作製し、このネガの凹部に石膏やエポキシ樹脂などを注入固化させて歯形模型を作製し、作製された歯形模型から治療すべき部位の歯形を切り出し、該歯形から所望の補綴物を作製する。
【０００３】
上記補綴物の作製は、補綴物を備えた実際の上下の歯の噛み合わせが非常に重要であり、噛み合わせが適当でない場合には患者に害を与えることもある。そのために患者の上下の歯形を作製し、これらの上下の歯形の噛み合わせ状態を充分に検討し、最終的な補綴物を作製しなければならない。このような噛み合わせの調整には、通常、患者の歯形を有する下顎模型と上顎模型とを作製し、両者を後方で連結して歯形の上下動を可能にした咬合器を用いて修復した歯の噛み合わせ状態を調べている。これらの咬合器は多数知られている（特許文献１〜４）。
【特許文献１】特開平７−１９４６２８号公報
【特許文献２】特表２００２−５２１０８７号公報
【特許文献３】特表２００１−５００３９８号公報
【特許文献４】特表平１１−５０６６２６号公報
【発明の開示】
【発明が解決しようとする課題】
【０００４】
上記従来の咬合器は、それぞれ有利な点を有するものの、全て異なる歯形の多くの患者に対する凡用性に欠けるという課題がある。すなわち、歯形は人種は勿論、同一人種であっても男女の差、年齢の差、その他全ての点において同一ではなく、従ってこれらの種々の歯形を有する個体に充分に適応する咬合器を提供することは困難であり、特に歯形の噛み合わせは、上下の歯同士の噛み合わせに加えて、上下顎の開閉運動、側方運動、前方運動や歯の微妙な横ずれに対応できる咬合器の提供は極めて困難であるのが実情である。
従って本発明の目的は、患者の個体差に適応することができ、特に歯同士の上下の噛み合わせに加えて、上下顎の開閉運動、側方運動、前方運動や微妙な横ずれにも対応可能な咬合器を提供することである。
【課題を解決するための手段】
【０００５】
上記目的は以下の本発明によって達成される。
１．歯形を有する下顎模型に対する係合部材（１）と、該係合部材（１）に可動的に取り付けられる下顎フレーム部材（２）と、歯形を有する上顎模型に対する係合部材（３）と、該係合部材（３）に可動的に取り付けられる上顎フレーム部材（４）と、上記下顎フレーム部材（２）と上記上顎フレーム部材（４）とを対向させて、それらの中央部において両者を着脱可能とするロック部材（５）とからなり、上記下顎フレーム部材（２）はその両側端部に球体（６，６’）を有し、上記上顎フレーム部材（４）は、その両側端部に上記球体（６，６’）が嵌め込まれる皿状受座（７，７’）を有し、上記係合部材（１）と、下顎フレーム部材（２）と、ロック部材（５）と、上記上顎フレーム部材（４）と、上記係合部材（３）とが、この記載の順序にて着脱可能に連結される構造を有することを特徴とする下顎模型と上顎模型との咬合器。
【０００６】
２．前記係合部材（１）が、下顎歯形模型に対する接続部（１ａ）と、下顎フレーム部材（２）に対する接続部（１ｂ）とを有し、該接続部（１ｂ）が、下顎フレーム部材（２）の中央部に設けられた球体（２ａ）を可動的に嵌入する内面曲面形状を有する前記１に記載の咬合器。
３．前記下顎フレーム部材（２）が、一方の側の中央部に前記係合部材（１）の接続部（１ｂ）と係合する球体（２ａ）を有するフレーム本体（２ｂ）と、その反対側に設けた円柱状接続部（２ｃ）と、フレーム本体（２ｂ）の両端に設けられた球体（６，６’）とを有する前記１に記載の咬合器。
【０００７】
４．前記上顎フレーム部材（４）が、一方の側の中央部に球体（４ａ）を有するフレーム本体（４ｂ）と、その反対側に設けた円柱状接続部（４ｃ）と、フレーム本体（４ｂ）の両端に設けられた、内側に壁を有する皿状受座（７，７’）とを有する前記１に記載の咬合器。
５．前記ロック部材（５）が、下顎フレーム部材（２）の円柱状接続部（２ｃ）を受ける凹状受座（５ａ）と、前記上顎フレーム部材（４）の円柱状接続部（４ｃ）の凹状受座（５ｂ）とを有する前記１に記載の咬合器。
【０００８】
６．前記係合部材（３）が、上顎歯形模型に対する接続部（３ａ）と、上顎フレーム部材（４）に対する接続部（３ｂ）とを有し、該接続部（３ｂ）が、上顎フレーム部材（４）の中央部に設けられた球体（４ａ）を可動的に嵌入する内面曲面形状を有する前記１に記載の咬合器。
７．全ての部材がプラスチック製である前記１に記載の咬合器。
【発明の効果】
【０００９】
本発明の咬合器は、患者の歯形の個体差に適応することができ、特に歯同士の中心位置における上下の噛み合わせに加えて、上顎と下顎との位置関係が変化した場合における噛み合わせにも容易に対応可能であり、患者の個体差にもかかわらず歯の噛み合わせが良好な補綴物を容易に作製することができる。
【発明を実施するための最良の形態】
【００１０】
次に発明を実施するための最良の形態を図面を参照してさらに詳しく説明する。
本発明の咬合器の基本構成は、図１に示すように、石膏やエポキシ樹脂製の歯形を有する下顎模型に対する係合部材１と、該係合部材１に可動的に取り付けられる下顎フレーム部材２と、石膏やエポキシ樹脂製の歯形を有する上顎模型に対する係合部材３と、該係合部材３に可動的に取り付けられる上顎フレーム部材４と、上記下顎フレーム部材２と上記上顎フレーム部材４とを対向させて、それらの中央部において両者を着脱可能とするロック部材５とから構成されている。
【００１１】
以下上記各部材について説明する。
「係合部材１］
係合部材１は、その一方に下顎歯形模型と接続する接続部１ａを有し、その反対側に内面が球面状の接続部１ｂを有している。
［下顎フレーム部材２］
下顎フレーム部材２は、逆コの字形のフレーム本体２ｂの一方の側に球体２ａを有し、その反対側に円柱状接続部２ｃを有し、フレーム本体２ｂの両側端部で円柱状接続部２ｃと同一線上に球体６，６’を有している。
「係合部材３］
係合部材３は、その一方に上顎歯形模型と接続する接続部３ａを有し、その反対側に内面が球面状の接続部３ｂを有している。
【００１２】
［上顎フレーム部材４］
上顎フレーム部材４は、フレーム本体４ｂの一方の側に球体４ａを有し、その反対側に円柱状接続部４ｃを有し、フレーム本体４ｂの両側端部に、内側に壁を有する皿状受座７，７’を有している。
［ロック部材５］
ロック部材５は前記下顎フレーム部材２の接続部２ｃと係合する凹状受座５ａと前記上顎フレーム部材４の接続部４ｃと係合する凹状受座５ｂと突起５ｃと突起５ｄとを有している。
上記各部材は、いずれもプラスチック製であることが好ましい。
【００１３】
次に下顎歯形模型および上顎歯形模型と、上記係合部材１、３との係合関係および上記各部材同士の係合関係を説明する。
［下顎歯形模型と係合部材１と下顎フレーム部材２との係合関係］
下顎歯形模型と係合部材１と下顎フレーム部材２の関係を図２を参照して説明する。歯列と歯茎とからなる歯形模型を、図４（ａ）に示す如き支持板８上に接着固定する。該支持板８の端部には、係合部材１と係合する係合部材９を設ける。該係合部材９は溝１０を有しており、該溝１０中に係合部材１の接続部１ａを挿入固定する。なお、図４（ｂ）に示す例は、歯形模型が右または左半分の場合に使用する支持板である。該接合部材１の接続部１ｂに下顎フレーム部材２の球体２ａを噛み合わせる。以上の如く下顎歯形模型と係合部材１と下顎フレーム部材２とが係合する（これをアッセンブリーＡと称する）。この係合関係において支持板８は溝１０に係合部材１の接続部１ａの突起を嵌め込み、溝に沿って位置をずらすことができることと、球体２ａを中心として下顎フレーム部材２に対して自由回転することができることで理想的な位置に取り付けることができる。この点が本発明の１つの特徴である。
【００１４】
［上顎歯形模型と係合部材３と上顎フレーム部材４との係合関係］
上顎歯形模型と係合部材３と上顎フレーム部材４との係合関係を図３を参照して説明する。歯列と歯茎とからなる歯形模型を石膏台上に固定したものに、図４の（ｃ）に示す支持板８を接着固定する。該支持板８には係合部材９が設けられており、該係合部材９は溝１０を有しており、該溝１０中に係合部材３の接続部３ａを挿入固定する。該接合部材３の接続部３ｂに上顎フレーム部材４の球体４ａを噛み合わせる。以上の如く上顎歯形模型と係合部材３と上顎フレーム部材４とが係合する（これをアッセンブリーＢと称する）。この係合関係において支持板８は溝１０に係合部材３の接続部３ａの突起を嵌め込み、溝に沿って位置をずらすことができることと、球体４ａを中心として上顎フレーム部材４に対して自由回転することができることで理想的な位置に取り付けることができる。この点も本発明の１つの特徴である。さらに上顎フレーム部材の円柱状接続部４ｃをロック部材５の凹状受座５ｂに嵌め込む。ロック部材５は円柱状接続部４ｃを回転軸として凹状受座５ａを円柱状接続部２ｃに掛けることにより下顎フレーム部材２と上顎フレーム部材４とを連結する。
【００１５】
［アッセンブリーＡとアッセンブリーＢの係合関係］
前記アッセンブリーＡとアッセンブリーＢとの係合関係を図１を参照して説明する。今ロック部材５は上顎フレーム部材４に係合させる状態である。下顎フレーム部材２の球体６，６’を上記上顎フレーム部材４の皿状受座７，７’に受容させ、かつロック部材５の凹状受座５ａをアッセンブリーＡの下顎フレーム部材２の円柱状接続部２ｃに嵌め込み、アッセンブリーＡとアッセンブリーＢの歯列模型を中心咬合位で噛み合わせ、その咬合平面と下顎フレーム部材２の球体６，６’を結ぶ中心線を並行かつ歯列前後の中心基準である正中線と直角になる位置に合わせ、支持板８の溝１０と係合部材１、３の接続部１ａ、３ａおよび係合部材１、３の１ｂ、３ｂと下顎フレーム部材２の球体２ａ、上顎フレーム部材４の球体４ａの係合部をそれぞれ接着剤で固定する。これにより図５に示す組み合わせ物（以下アッセンブリーＣと称する）が構成される。該アッセンブリーＣの背面を図６に示す。
【００１６】
［アッセンブリーＣの動作］
アッセンブリーＣの動作を図５を用いて説明する。図５（ａ）は上顎と下顎の歯列を中心位置で噛み合わせた状態であり、咬合の基準位置である。下顎フレーム部材２の球体６、６’は上顎フレーム部材４の皿状受座７，７’の最も奥で、かつ、それらの内壁に接触している。ロックはこの位置のみ掛けることができる。図５（ｂ）は上顎と下顎とが（ａ）の位置で開いた状態を示している。図５（ｃ）は下顎を前方に運動させた状態を示している。図５（ｄ）は下顎を側方に運動させた状態を示している。いずれの場合も、咬合器の下顎フレーム部材２の球体６、６’は上顎フレーム部材４の皿状受座７，７’の形状の影響を受けるので、下顎の運動は咬合器の動作許容範囲内で可能となる。このように顎運動をして噛み合わせ状態を再現し、補綴物の形状を調整して製作する。該咬合器は、構造とプラスチックの柔軟性もあり、上下歯列の磨耗面を合わせることが容易である。その結果、患者の口腔内に完成した補綴物を装着した場合に起こりやすい噛み合わせの高過ぎ、顎運動時の干渉などの問題を最小限にすることができる。
【００１７】
図６は、図５に示すアッセンブリーＣを背面から見た全体図であり、ロック部材５の突起５ｄを指で後方より押すことで、ロック部材５の凹状受座５ａと下顎フレーム部材２の円柱状係合部２ｃの係合をワンタッチで行うことができる。また、ロック部材５の突起５ｃを指で後方より押すことで、ロック部材５の凹状受座５ａと下顎フレーム部材２の円柱状係合部２ｃの係合をワンタッチではずすことができる。
【産業上の利用可能性】
【００１８】
本発明の咬合器は、患者の歯形の個体差に適応することができ、特に歯同士の中心位置における上下の噛み合わせに加えて、上顎と下顎との位置関係が変化した場合における噛み合わせにも容易に対応可能であり、患者の個体差にもかかわらず歯の噛み合わせが良好な補綴物を容易に作製することができる。
【図面の簡単な説明】
【００１９】
【図１】本発明の咬合器の分解斜視図。
【図２】下顎歯形と係合部材と下顎フレーム部材との係合を説明する図。
【図３】上顎歯形と係合部材と上顎フレーム部材とロック部材との係合を説明する図。
【図４】歯形の支持板を説明する図。
【図５】本発明の咬合器の動作を説明する図。
【図６】図５の背面図。
【符号の説明】
【００２０】
１：係合部材
２：下顎フレーム部材
３：係合部材
４：上顎フレーム部材
５：ロック部材
【図１】
2006230726.tif 000003
【図２】
2006230726.tif 000004
【図３】
2006230726.tif 000005
【図４】
2006230726.tif 000006
【図５】
2006230726.tif 000007
【図６】
2006230726.tif 000008